(57)【要約】【課題】ダイビング用フェイスマスクのレンズ粘着の改良構造を提供する。【解決手段】本考案のダイビング用フェイスマスクのレンズ粘着の改良構造は、フレーム１００、マスク２００、正面レンズ３００及び左右の両側面レンズ４００等の構成要素からなる。正面レンズ３００と各側面レンズ４００間は、軟質、高透明度の材質で形成された断面形状がＬ字型或いはＴ字型などの防漏パッド５００により粘着結合され、衝撃を受けても、破裂、漏水することがない。【選択図】図２
0003106751.tif 000002
【実用新案登録請求の範囲】
【請求項１】
ダイビング用フェイスマスクのレンズ粘着の改良構造であって、フレームと、マスクと、正面レンズ及び左右の側面レンズとからなり、前記フレームは、前記正面及び両側面レンズの前方に設置され、前記マスクはレンズ後方に設置されており、前記正面レンズと両側面レンズ間は、軟質、高透明度の材質により形成された防漏パッドにより粘着結合されていることを特徴とするダイビング用フェイスマスクのレンズ粘着の改良構造。
【請求項２】
前記防漏パッドは、高透明度構造であることを特徴とする請求項１に記載のダイビング用フェイスマスクのレンズ粘着の改良構造。
【請求項３】
前記防漏パッドは、断面形状がＬ字型或いはＴ字型を呈することを特徴とする請求項１に記載のダイビング用フェイスマスクのレンズ粘着の改良構造。
【請求項４】
前記正面及び両側面レンズの結合面は、斜切面或いは垂直面の結合を呈することを特徴とする請求項１に記載のダイビング用フェイスマスクのレンズ粘着の改良構造。
【考案の詳細な説明】
【技術分野】
【０００１】
本考案は、ダイビング用フェイスマスクのレンズ粘着の改良構造に関するものであって、特に、ダイビング用フェイスマスクの正面レンズと左右両側面レンズの結合は、軟質、高透明度の防漏パッドによりそれぞれ粘着され、粘着部は弾性を有し、衝撃によって破裂したり、漏水したりすることがないダイビング用フェイスマスクのレンズ粘着の改良構造に関するものである。
【背景技術】
【０００２】
従来の一眼タイプ（単鏡面）、或いは、二眼タイプ（双鏡面）のダイビング用フェイスマスクは、提供できる視野角度が、人間の正常な視野可能範囲からはかけ離れて小さい。
現在、一般に市販されている三眼、或いは、四眼タイプの潜水マスクは、図７で示されるように、左右両側のレンズ２２は、透明材質とフレームが一体成形されたものか、或いは、二つの小片平面ガラスを、左右両側に嵌入したものである。しかし、実際上、上述の三眼、或いは、四眼タイプの潜水マスクは、正面レンズ２１と左右レンズ２２間のフレーム１１に視界が邪魔された状態となっている。
【０００３】
上述の三眼或いは四眼タイプの潜水マスクの欠点を改善するため、業者は、中華民国特許公報公告番号第４２８５７６号「視野の広い潜水フェイスマスク」（図８で示される）を提供しているが、このタイプのものは、正面レンズ２１と側面レンズ２２間が粘着剤により結合され、その斜切面のレンズの粘着は容易でなく、マスクは海底で衝撃を受けて、粘着箇所が破裂、脱落し、漏水に至る恐れがある。
【０００４】
よって、本考案は、再三の改良を加え、新規のダイビング用フェイスマスクレンズ粘着の改良構造を開示し、公知の製品の欠点を改善する。
【特許文献１】中華民国特許公報公告番号第４２８５７６号
【考案の開示】
【考案が解決しようとする課題】
【０００５】
本考案は、ダイビング用フェイスマスクのレンズ粘着の改良構造を提供する。
【課題を解決するための手段】
【０００６】
本考案のダイビング用フェイスマスクのレンズ粘着の改良構造に係る請求項１の考案は、フレームと、マスクと、正面レンズ及び左右の側面レンズとからなり、前記フレームは、前記正面及び両側面レンズの前方に設置され、前記マスクはレンズ後方に設置されており、前記正面レンズと両側面レンズ間は、軟質、高透明度の材質により形成された防漏パッドにより粘着結合されていることを特徴とする。
【０００７】
請求項２の考案は、請求項１に記載のダイビング用フェイスマスクのレンズ粘着の改良構造において、前記防漏パッドは、高透明度構造であることを特徴とする。
請求項３の考案は、請求項１に記載のダイビング用フェイスマスクのレンズ粘着の改良構造において、前記防漏パッドは、断面形状がＬ字型或いはＴ字型を呈することを特徴とする。
請求項４の考案は、請求項１に記載のダイビング用フェイスマスクのレンズ粘着の改良構造において、前記正面及び両側面レンズの結合面は、斜切面或いは垂直面の結合を呈することを特徴とする。
【考案の効果】
【０００８】
本考案のダイビング用フェイスマスクのレンズ粘着の改良構造によれば、フェイスマスクの正面レンズと左右両側面レンズの結合端面箇所が、軟質、高透明度の防漏パッドにより互いに粘着され、前記防漏パッドは弾性を有し、接触によって破裂したり、漏水したりすることがないという利点がある。
【考案を実施するための最良の形態】
【０００９】
以下、本考案の実施形態を示す実施例について図を参照して説明する。
【実施例】
【００１０】
図１〜図３で示されるように、本考案に係るダイビング用フェイスマスクのレンズ粘着の改良構造は、フレーム１００、マスク２００、正面レンズ３００及び側面レンズ４００等の構成要素からなる。フレーム１００は、レンズの前方に設置され、マスク２００はレンズ後方に設置される。
【００１１】
本考案の特徴とするところは、正面レンズ３００と左右の両側面レンズ４００間に、軟質、高透明度の防漏パッド５００を設けて、互いに粘着結合したもので、前記防漏パッド５００は、高透明度を有し、二つの硬質の正面レンズ３００と側面レンズ４００の接触面間に、ストッパーを形成した構成であり、衝撃を受けても、破裂、漏水することがなく、海底で水圧が増圧するほど、防水効果が向上するようにしたものである。
【００１２】
図３及び図４を参照すると、正面レンズ３００と左右の両側面レンズ４００の各端面は、斜切面の結合部を呈し、防漏パッド５００或いは６００は断面形状がＬ字型或いはＴ字形を呈する。
【００１３】
図５及び図６を参照すると、正面レンズ３００と両側面レンズ４００は、垂直面の結合部を呈し、防漏パッド５００或いは６００は断面形状がＬ字型或いはＴ字形を呈する。
【００１４】
上述のように、本考案のダイビング用フェイスマスクのレンズ粘着の改良構造は、正面レンズと両側面レンズの結合部において、軟質材料により形成された防漏パッドにより粘着結合するようにしたために、防漏パッドは好ましい弾性を有するので、衝撃を受けても、レンズ間が破裂したり漏水することがない。
【図面の簡単な説明】
【００１５】
【図１】本考案のダイビング用フェイスマスクのレンズ粘着の改良構造の実施例を示す要部の分解斜視図、
【図２】本考案のダイビング用フェイスマスクのレンズ粘着の改良構造の実施例における正面レンズ、側面レンズ及び防漏パッドの粘着結合状態を示す要部断面図、
【図３】本考案のダイビング用フェイスマスクのレンズ粘着の改良構造の実施例における正面レンズ、側面レンズ及び防漏パッドの粘着結合状態の変形例を示す要部断面図、
【図４】本考案のダイビング用フェイスマスクのレンズ粘着の改良構造の実施例における正面レンズ、側面レンズ及び防漏パッドの粘着結合状態の変形例を示す要部断面図、
【図５】本考案のダイビング用フェイスマスクのレンズ粘着の改良構造の実施例における正面レンズ、側面レンズ及び防漏パッドの粘着結合状態の変形例を示す要部断面図、
【図６】本考案のダイビング用フェイスマスクのレンズ粘着の改良構造の実施例における正面レンズ、側面レンズ及び防漏パッドの粘着結合状態の変形例を示す要部断面図、
【図７】従来のダイビング用フェイスマスクを示す斜視図。
【図８】従来の他の製品であるダイビング用フェイスマスクを示す斜視図である。
【符号の説明】
【００１６】
１００…フレーム
２００…マスク    
３００…正面レンズ
４００…側面レンズ
５００、６００、７００、８００…防漏パッド    
【図１】
0003106751.tif 000003
【図２】
0003106751.tif 000004
【図３】
0003106751.tif 000005
【図４】
0003106751.tif 000006
【図５】
0003106751.tif 000007
【図６】
0003106751.tif 000008
【図７】
0003106751.tif 000009
【図８】
0003106751.tif 000010